(57)【要約】【課題】  オーディオデータ記録再生ディスクにおいてオーディオコンテンツの多岐多様なジャンルを分類する。【解決手段】  ＩＤコードは一例として、タイプとして「主ジャンル」と、「副ジャンル」と、「入力ソース」と「その他」などに分類されている。主ジャンルは「ロック」、「ポップス」などの固定のアイテム名の他に「ユーザ定義主ジャンル名」（ＩＤコード＝３Ｆｈ）に分類されている。この「ユーザ定義主ジャンル名」によって、規格によりあらかじめ固定されているアイテム名に加えて、ユーザ独自の主ジャンルをアイテムテキストのテキストとして記述することができる。さらに、副ジャンルには「ユーザ定義副ジャンル名」（ＩＤコード＝４０ｈ）が規定され、このＩＤコード＝４０ｈに続くテキストによりユーザが任意の「ユーザ定義副ジャンル名」を記述することができる。【選択図】        図２
2005122894.tif 000002
【特許請求の範囲】
【請求項１】
オーディオデータ及び前記オーディオデータに関するテキストデータ管理構造を含むデータ構造をディスクに記録する方法であって、
前記テキストデータ管理構造は、オーディオデータのアイテム種別を示すＩＤコードと、０文字以上の文字データと、前記文字データの文字数を示すテキストサイズ情報を１組以上含むアイテムテキストを１以上有し、
前記ＩＤコードは、前記アイテム種別の主階層を示す第１のＩＤコードと、前記主階層に従属するアイテム種別の副階層を示す第２のＩＤコードを含むようにしたテキストデータ記録方法。
【発明の詳細な説明】
【技術分野】
【０００１】
本発明は、オーディオデータを記録再生することができるオーディオデータの
記録方法に関し、特にテキストデータを取り扱うものに関する。
【背景技術】
【０００２】
従来、デジタルオーディオデータを記録再生することができる記憶媒体として
は、ＤＡＴ（Digital Audio Tape）やＭＤ（Mini Disc）などが存在し、これら
は高音質なオーディオデータを１媒体当たり７４分〜１２０分間記録することが
できる。この中で、ＭＤにはディスク名や曲名をテキストで収録できる構造があ
るが、それ以外のテキスト、例えば曲ジャンルや入力ソースなどを収録すること
はできない。
【０００３】
一方、その記録容量が従来の媒体の数倍から十数倍になる次世代のディスク媒
体が実用化されつつある。一つはＤＶＤ−ＲＯＭディスク（ＤＶＤ Specificati
ons for Read-Only Discに準拠した読み出し専用光ディスク）であり、二つ目は
記録再生が可能なディスクとしてＤＶＤ−ＲＷディスク（ＤＶＤ Specification
s for Re-recordable Discに準拠した再記録可能なディスク）及びＤＶＤ−ＲＡ
Ｍディスク（ＤＶＤ Specifications for Rewritable Discに準拠した再書込み
可能なディスク）がある。また、ＤＶＤ−ＲＷディスク又はＤＶＤ−ＲＡＭディ
スク上にビデオデータを収録する規格も策定されており、その大容量を活かして
高画質な動画及び静止画を記録し、また、様々な編集を経て再生する手法を実現
することができる。
【０００４】
ＤＶＤ−ＲＷディスク又はＤＶＤ−ＲＡＭディスク（以下、ＤＶＤ−ＲＷ／Ｒ
ＡＭディスクと略す）上にビデオデータを収録する場合の規格であるVIDEO RECO
RDING規格（以下ＤＶＤ−ＶＲと略す）では、ビデオデータはＶＯＢ（Video Obj
ect）として記録され、また、ＶＯＢ群を記録した順序で全て再生するためのオ
リジナル管理データ、すなわちオリジナルＰＧＣ（Original Program Chain）と
、ユーザが選択したＶＯＢの全部又は一部分を任意の順序で再生するためのユー
ザ定義管理データ、すなわちユーザ定義ＰＧＣ（User Defined PGC）が定義され
る。ディスク上に、オリジナルＰＧＣはただ一つ存在し、ユーザ定義ＰＧＣは複
数存在し得る。したがって、ユーザは好みに応じて編集したユーザ定義ＰＧＣを
使って好みの順序で再生を行うことができる。
【０００５】
"ＤＶＤ Specifications for Rewritable/Re-recordable Discs, Part3 VIDEO
RECORDING, Version 1.0"で示されるように、ＤＶＤ−ＶＲでは、ＤＶＤ−ＲＷ
／ＲＡＭ上のファイルとして複数のファイルを記録する。図４はそのデータ構造
を示し、ルートディレクトリ下にＤＶＤ＿ＲＴＡＶディレクトリがあり、その下
にはオリジナルＰＧＣ及びユーザ定義ＰＧＣなど全ての記録再生管理データを収
録するためのＶＲ＿ＭＡＮＧＲ．ＩＦＯファイルが配置される。
【０００６】
ＤＶＤ＿ＲＴＡＶディレクトリの下にはまた、ＶＲ＿ＭＯＶＩＥ．ＶＲＯファ
イルと、ＶＲ＿ＳＴＩＬＬ．ＶＲＯファイルとＶＲ＿ＡＵＤＩＯ．ＶＲＯファイ
ルが配置され、ビデオデータはＶＲ＿ＭＯＶＩＥ．ＶＲＯファイル中に、静止画
データはＶＲ＿ＳＴＩＬＬ．ＶＲＯファイル中に、静止画に付随する追加オーデ
ィオデータはＶＲ＿ＡＵＤＩＯ．ＶＲＯファイル中に記録される。このように、
実際の再生データと記録再生管理データは分離して記録されるので、再生データ
を変更することなく、ユーザ定義ＰＧＣによって任意の再生手順を構築すること
ができる。
【０００７】
ここで、ＶＲ＿ＭＡＮＧＲ．ＩＦＯファイルの中には、ディスクに収録された
コンテンツのジャンルや入力ソースなどのコンテンツ種別を記述するために、図
５に示すようなテキストデータ管理構造（ＴＸＴＤＴ＿ＭＧ：テキストデータ・
マネージャ）が設けられている。図５において、テキストデータ情報（ＴＸＴＤ
ＴＩ）には、使用する文字コードセットを指定し、また、その後のアイテム・テ
キスト・サーチポインタ（ＩＴ＿ＴＸＴ＿ＳＲＰ＃１〜＃ｎ）の数ｎを記述する
。各アイテム・テキスト・サーチポインタ（ＩＴ＿ＴＸＴ＿ＳＲＰ＃１〜＃ｎ）
には、テキストデータ管理構造（ＴＸＴＤＴ＿ＭＧ）の先頭から見た各アイテム
テキスト（ＩＴ＿ＴＸＴ）の先頭アドレス及びサイズを記述する。アイテム・テ
キスト・サーチポインタ（ＩＴ＿ＴＸＴ＿ＳＲＰ＃１〜＃ｎ）の後には１つ以上
のアイテムテキスト（ＩＴ＿ＴＸＴ）が収録される。
【０００８】
図６はアイテムテキスト（ＩＴ＿ＴＸＴ）の構造を示し、各アイテムテキスト
は図７に示すようなＩＤコードと、テキストサイズとテキストの内、少なくとも
ＩＤコードとテキストサイズを含む。また、図６（ａ）は１つのＩＤコードを含
む場合を示し、図６（ｂ）は複数のＩＤコードを含む場合を示す。図６（ｃ）は
テキストを含まない場合を示し、ＩＤコードとテキストサイズ＝０を含む。なお
、図６（ｂ）においてもテキストサイズ＝０をとり得る。
【０００９】
図７はＤＶＤ−ＶＲで規定されているＩＤコード（ＩＤコード番号、タイプ、
アイテム名）を示し、タイプとして「ジャンル」、「入力ソース」、「その他」
を指定することができる。図８は一例として、２つのＩＤコードを含むアイテム
テキストを示し、この場合には「放送局：ＢＳ９、ジャンル：ドラマ」のプログ
ラムであることをテキストで表現している。これらのアイテムテキスト（ＩＴ＿
ＴＸＴ）は、最終的にはプログラムチェーン（ＰＧＣ）などからリンクされてプ
レーヤ上で表示される。図９はオリジナル及びユーザＰＧＣ情報（ＰＧＣＩ）の
構造を示し、オリジナルＰＧＣ情報の場合にはプログラム情報（ＰＧＩ）の中の
アイテムテキストの検索ポインタ番号（ＩＴ＿ＴＸＴ＿ＳＲＰＮ）により、テキ
ストデータ管理構造（ＴＸＴＤＴ＿ＭＧ）の特定のアイテム・テキスト・サーチ
ポインタ（ＩＴ＿ＴＸＴ＿ＳＲＰ）を指定することができる。
【発明の開示】
【発明が解決しようとする課題】
【００１０】
ところで、上述したＤＶＤ−ＲＷ／ＲＡＭディスク上にビデオデータを主に収
録するＤＶＤ−ＶＲは、オーディオデータを主として記録する用途には適さない
。例えば、ＶＯＢ中にはビデオストリームが必須であり、オーディオのみを記録
することができないし、また、収録できるオーディオ品質については、ＤＶＤ−
ＶＲは２チャンネルのリニアＰＣＭ及び圧縮オーディオのみをサポートしており
、高品位なマルチチャンネル・リニアＰＣＭオーディオなどを収録することはで
きない。
【００１１】
したがって、ＤＶＤ−ＲＷ／ＲＡＭディスク上にオーディオデータを主として
記録する方法が必要である。ここでは、そのようなコンテンツを収録するための
ディスクをＤＶＤ AUDIO RECORDINGディスク（以下、ＤＶＤ−ＡＲディスク）と
称する。さらに、ＤＶＤ−ＲＷ／ＲＡＭディスクを、ＤＶＤ−ＶＲディスクとし
て使用する用途に加えて、ＤＶＤ−ＶＲディスクとＤＶＤ−ＡＲディスクの両方
をサポートする機器が想定される。したがって、機器の設計をできるだけ共通化
するためにＤＶＤ−ＡＲのデータ構造はＤＶＤ−ＶＲのそれとできるだけ共通に
なるように定義するのが望ましい。
【００１２】
ここで、以上の観点から、ＤＶＤ−ＶＲのデータ構造をＤＶＤ−ＡＲに流用す
ることを考える。
（１）図４に示したファイル構造については、ＤＶＤ−ＡＲ用のファイルを規定
することにより対応できる（図１において後述）。
（２）図５に示したテキストデータ管理構造についてもＤＶＤ−ＡＲに使用する
ことができる。
（３）図６に示したアイテムテキストの構造についてもＤＶＤ−ＡＲに使用する
ことができる。
【００１３】
しかしながら、図７に示したＩＤコードのジャンルのアイテム名（映画、音楽
、ドラマなど）はビデオ用途であるので、オーディオ用途に置き換える必要があ
る。そこで、オーディオ用途としては、例えば「ポップス」、「ロック」、「ジ
ャズ」、「ヒュージョン」、「クラシック」などが容易に考えられる。しかしな
がら、この他にも様々な主ジャンルや、主ジャンルの下に副ジャンルを使用する
ことが考えられる。例えば主ジャンル＝クラシックの副ジャンルとして、「交響
曲」、「協奏曲」、「室内楽」、「ピアのソロ」など、様々な名称が考えられる
。このため、オーディオ用途におけるジャンルは、多岐かつ階層構造が必要であ
り、図７に示したジャンルでは分類することができないという問題点がある。
【００１４】
本発明は上記の問題点に鑑み、オーディオコンテンツの多岐多様なジャンルを
分類することができるオーディオデータに関するテキストデータの記録方法を提
供することを目的とする。
【課題を解決するための手段】
【００１５】
本発明は上記目的を達成するために、以下の手段よりなるものである。
すなわち、
オーディオデータ及び前記オーディオデータに関するテキストデータ管理構造を含むデータ構造をディスクに記録する方法であって、
前記テキストデータ管理構造は、オーディオデータのアイテム種別を示すＩＤコードと、０文字以上の文字データと、前記文字データの文字数を示すテキストサイズ情報を１組以上含むアイテムテキストを１以上有し、
前記ＩＤコードは、前記アイテム種別の主階層を示す第１のＩＤコードと、前記主階層に従属するアイテム種別の副階層を示す第２のＩＤコードを含むようにしたテキストデータ記録方法。
【発明の効果】
【００１６】
以上説明したように本発明によれば、オーディオデータのジャンルを主階層と
副階層で定義するようにし、また、主階層と副階層をユーザが定義可能にしたの
で、オーディオコンテンツの多岐多様なジャンルを分類することができる。
【発明を実施するための最良の形態】
【００１７】
以下、図面を参照して本発明の実施の形態について説明する。図１は本発明に
適用されるディスクのデータ構造の一実施形態を示す説明図、図２は図１のデー
タ構造におけるＩＤコードを示す説明図、図３は本発明に係るアイテムテキスト
の具体例を示す説明図である。
【００１８】
図１はＤＶＤ−ＡＲディスクに適したファイル構造を示し、ファイル名はＤＶ
Ｄ−ＶＲにおけるＶをＡに変更したものとして示す。ルートディレクトリ下にＤ
ＶＤ＿ＲＴＡＶディレクトリがあり、その下にオリジナルＰＧＣ、ユーザ定義Ｐ
ＧＣなど全ての記録再生管理データを収録するためのＡＲ＿ＭＡＮＧＲ．ＩＦＯ
ファイルと、ＡＲ＿ＡＵＤＩＯ.ＡＲＯファイルと、ＡＲ＿ＳＴＩＬＬ.ＡＲＯフ
ァイルが配置される。オーディオデータはＡＲ＿ＡＵＤＩＯ.ＡＲＯファイル中
に、静止画を収録する場合にはＡＲ＿ＳＴＩＬＬ.ＡＲＯファイル中に記録され
る。
【００１９】
次に図２を参照してＩＤコード（ＩＤコード番号、タイプ及びアイテム名）に
ついて説明する。このＩＤコードは一例として、タイプとして「主ジャンル」と
、「副ジャンル」と、「入力ソース」と「その他」などに分類されている。主ジ
ャンルは「ロック」、「ポップス」などの固定のアイテム名の他に「ユーザ定義
主ジャンル名」（ＩＤコード＝３Ｆｈ）に分類されている。この「ユーザ定義主
ジャンル名」によって、規格によりあらかじめ固定されているアイテム名に加え
て、ユーザ独自の主ジャンルをアイテムテキストのテキストとして記述すること
ができる。さらに、副ジャンルには「ユーザ定義副ジャンル名」（ＩＤコード＝
４０ｈ）が規定され、このＩＤコード＝４０ｈに続くテキストによりユーザが任
意の「ユーザ定義副ジャンル名」を記述することができる。なお、図２中で挙げ
た各アイテムのＩＤコード番号、主ジャンルと副ジャンル以外のタイプ（入力ソ
ース、その他）及び固定のアイテム名（ロック、ポップスなど）は、本発明を説
明するための一例であり、これら以外の定義を否定するものではない。
【００２０】
次に図３を参照してアイテムテキストについて説明する。図３は４つの例を示
し、図３（ａ）は主（メイン）ジャンル（規定名）のみのアイテムテキストを示
し、固定ジャンルであるので、ＩＤコード＝３０ｈ（主ジャンル：ロック）とテ
キストサイズ＝０により構成され、ジャンル名（テキスト名）は含まない。図３
（ｂ）は主ジャンル（ユーザ定義名）のみのアイテムテキストを示し、ＩＤコー
ド＝３Ｆｈ（ユーザ定義主ジャンル）と、テキストサイズ＝４と、ユーザ定義テ
キスト名＝バラードにより構成される。
【００２１】
図３（ｃ）は主ジャンル（規定名）＋副ジャンル（ユーザ定義名）のアイテム
テキストを示し、ＩＤコード＝３４ｈ（クラシック）と、テキストサイズ＝０と
、ＩＤコード＝４０ｈ（ユーザ定義副ジャンル）と、テキストサイズ＝３と、ユ
ーザ定義テキスト名＝交響曲により構成される。図３（ｄ）は主ジャンル（ユー
ザ定義名）＋副ジャンル（ユーザ定義名）のアイテムテキストを示し、ＩＤコー
ド＝３Ｆｈ（ユーザ定義主ジャンル）と、テキストサイズ＝３、ユーザ定義テキ
スト名＝アニメと、ＩＤコード＝４０ｈ（ユーザ定義副ジャンル）と、テキスト
サイズ＝４と、ユーザ定義テキスト名＝８０年代により構成される。なお、この
アイテムテキストは、従来例の図６において説明した場合と同様に上記のジャン
ル記述に加えて入力ソースなどの他のタイプと組み合わせて記述することができ
る。
【００２２】
ここで、従来例の図６（ａ）においてテキスト部分に副ジャンル名を記述する
ことも考えられるが、本発明のようなユーザ定義の主ジャンル名は記述すること
ができず、また、ユーザ定義の主ジャンル名とユーザ定義の副ジャンル名も記述
することができない。本発明によれば、オーディオ特有の様々なジャンルを、規
格で規定（固定）した名称に関係なく拡張することができ、このため、新しく生
まれてくるジャンルにも対応することができる。また、主ジャンルと副ジャンル
を組み合わせることにより、収録コンテンツの検索や並べ替えなども、より的確
に行うことができる。
【図面の簡単な説明】
【００２３】
【図１】本発明に適用されるディスクのデータ構造の一実施形態を示す説明図である。
【図２】図１のデータ構造におけるＩＤコードを示す説明図である。
【図３】本発明に係るアイテムテキストの具体例を示す説明図である。
【図４】ＤＶＤ−ＶＲのデータ構造を示す説明図である。
【図５】本発明に係るテキストデータ管理構造を示す説明図である。
【図６】本発明に係るアイテムテキストのデータ構造を示す説明図である。
【図７】ＤＶＤ−ＶＲのＩＤコードを示す説明図である。
【図８】ＤＶＤ−ＶＲのアイテムテキストの具体例を示す説明図である。
【図９】本発明に係るオリジナルＰＧＣ情報及びユーザ定義ＰＧＣ情報のデータ構造を示す説明図である。
【図１】
2005122894.tif 000003
【図２】
2005122894.tif 000004
【図３】
2005122894.tif 000005
【図４】
2005122894.tif 000006
【図５】
2005122894.tif 000007
【図６】
2005122894.tif 000008
【図７】
2005122894.tif 000009
【図８】
2005122894.tif 000010
【図９】
2005122894.tif 000011